(57)【要約】  髭剃り装置は、髭剃り中に皮膚に接触するための髭剃り面（９）を備える１つ又はそれ以上の髭剃りヘッド（５）と、髭剃り面（９）の背後で移動可能な少なくとも１つのカッター（４）を有する。１つ又は複数のカッター（４）の動作を推進するためにモータ（２）を含み且つ１つ又は複数のカッター（４）に結合された駆動構造（３）は、駆動構造のモータ（２）を包含するハウジング（１）によって支持される。シェル構造（１２）は、１つ又は複数の髭剃りヘッド（５）の後方でハウジング（１）の少なくとも一部を囲み、ハウジング（１）に取り付けられる。
2007514469.tif 000002
【特許請求の範囲】
【請求項１】
髭剃り中に皮膚に接触するための髭剃り面と、該髭剃り面の背後で移動可能な少なくとも１つのカッターとを含む、少なくとも１つの髭剃りヘッドと；
前記少なくとも１つのカッターの動作を推進するために、モータを含み、且つ、前記少なくとも１つのカッターに結合された駆動構造と；
前記モータに接続された電源手段と；
前記モータと前記電源手段の少なくとも一部とを包含し、且つ、前記駆動構造を支持するハウジングと；
前記ハウジングに取り付けられたときに、前記少なくとも１つの髭剃りヘッドの後方で、前記ハウジングの少なくとも一部を囲むシェル構造とを含む、
髭剃り装置。
【請求項２】
前記少なくとも１つの髭剃りヘッドが取り付けられる髭剃りヘッドホルダを支持する髭剃りヘッドホルダ支持体をさらに含み、前記シェル構造は、少なくとも、前記少なくとも１つの髭剃りヘッドホルダ支持体が取り付けられる面から、前記少なくとも１つの髭剃りヘッドホルダ支持体が取り付けられる前記面と反対側の前記ハウジングの端部にある電力プラグソケットまで延在する、請求項１に記載の髭剃り装置。
【請求項３】
前記シェル構造は、少なくとも、前記少なくとも１つの髭剃りヘッドホルダ支持体が取り付けられる面と前記電力プラグソケットとの間で、前記ハウジングを完全に囲む、請求項２に記載の髭剃り装置。
【請求項４】
前記シェル構造は、前記ハウジングから離間したシェル部分を含み、前記ハウジングと前記シェル部分との間に空間が残される、上記請求項のうちいずれか１項に記載の髭剃り装置。
【請求項５】
前記ハウジングと前記シェル構造との間の前記空間を排水するために、少なくとも１つの排水通路をさらに含む、請求項４に記載の髭剃り装置
【請求項６】
前記シェル構造の少なくとも一部は、前記ハウジングよりも耐衝撃性を有する材料である、上記請求項のうちいずれか１項に記載の髭剃り装置。
【請求項７】
前記シェル構造の少なくとも一部は、前記ハウジングよりも軟らかい材料である、上記請求項のうちいずれか１項に記載の髭剃り装置。
【請求項８】
前記ハウジングは、第一動作部材を少なくとも含み、前記シェル構造は、前記第一動作部材に動作的に接続された第二動作部材を少なくとも含む、上記請求項のうちいずれか１項に記載の髭剃り装置
【請求項９】
前記第二動作部材は、前記第一動作部材と機械的に接続されている、請求項８に記載の髭剃り装置。
【請求項１０】
前記第二動作部材は、前記第一動作部材と電気的に接続されている、請求項８又は９に記載の髭剃り装置。
【請求項１１】
光信号伝達部材をさらに含み、前記シェル構造は窓を含み、前記光信号伝達部材によって生成される光信号は、前記窓を通じて可視的である、上記請求項のうちいずれか１項に記載の髭剃り装置。
【請求項１２】
前記シェル構造は前記ハウジングから取り外し可能である、上記請求項のうちいずれか１項に記載の髭剃り装置。
【請求項１３】
各髭剃り装置が上記請求項のうちのいずれか１項に従う、少なくとも２つの髭剃り装置の組み合わせであって、
前記装置の少なくとも２つの前記ハウジングは、相互に同一の形状を有し、
前記少なくとも２つの装置の前記ハウジングの相互に対応する部分を覆う、前記少なくとも２つの装置の前記シェル構造の２つの少なくとも一部は、相互に異なる形状を有する組み合わせ。
【請求項１４】
請求項１乃至１２のうちいずれか１項に記載の少なくとも１つの髭剃り装置と、少なくとも２つの前記シェル構造とを含む組み合わせであって、前記シェル構造は、他の１つの前記シェル構造のための代替として、前記ハウジングにそれぞれ取り付け可能であり、取付状態にあるときに前記ハウジングの同一部分を覆う前記シェル構造の２つの少なくとも一部は、相互に異なる形状を有する組み合わせ。
【請求項１５】
髭剃り中に皮膚に接触するための髭剃り面と、該髭剃り面の背後で移動可能な少なくとも１つのカッターとを含む、少なくとも１つの髭剃りヘッドと；少なくとも１つのカッターの動作を推進するために、モータを含み、且つ、前記少なくとも１つのカッターに結合された駆動構造と；前記モータに接続された電源手段とをそれぞれ含む、複数の髭剃り装置を製造する方法であって、
前記髭剃り装置のそれぞれのために、前記モータと前記電源手段の少なくとも一部を包含し且つ前記駆動構造を支持する、相互に同一なハウジングを製造するステップと；
前記髭剃り装置のそれぞれのために、前記ハウジングに取り付けられるときに、前記少なくとも１つの髭剃りヘッドの後方で、前記ハウジングの少なくとも一部を囲む、相互に異なる形状を有するシェル構造を製造するステップとを含む方法。
【発明の詳細な説明】
【技術分野】
【０００１】
本発明は、髭剃り中に皮膚に接触する髭剃り面と髭剃り面の背後で移動可能な少なくとも１つのカッターとを含む少なくとも１つの髭剃りヘッドと、少なくとも１つのカッターの動作を推進するためにモータを含み且つ少なくとも１つのカッターに結合された駆動機構と、モータを包含し且つ駆動機構を支持するハウジングとを含む髭剃り装置に関する。本発明は、さらに、そのような髭剃り装置を製造する方法に関する。
【背景技術】
【０００２】
そのような髭剃り機は、例えば、多様な設計のＰｈｉｌｉｓｈａｖｅ髭剃り機の形態の実施から既知である。
【０００３】
電気髭剃り機は、電気機器が典型的には硬質のバスルーム床上に落下するときの機械不良の故に、或いは、特にもし電気機器が湿式髭剃り用であるならば、ハウジング内への湿気の進入の故に電気機器が容易に損傷を受け得る環境であるバスルーム内で用いられるのが典型的である。
【０００４】
可視的な外観及び触覚特性は、電気髭剃り機のさらに重要な機能であり、ハウジングの設計において、上述の機械的要件と調和される必要がある。実際上、これらの機械的要件は、可視的な外観及び触覚特性に関する要求を満足し得る範囲を制限する。
【発明の開示】
【発明が解決しようとする課題】
【０００５】
可視的な外観及び触覚特性がハウジングの機械的要件によって余り制約されず、且つ、可視的な外観及び／又は感触特性に関する設計の変更が広範な設計変更及び型変更を余り必要としない装置を提供することが本発明の目的である。
【課題を解決するための手段】
【０００６】
本発明によれば、この目的は請求項１に従った髭剃り装置を提供することによって達成される。本発明は、さらに、相互に異なる外部設計を有するそのような装置の製造に関する請求項１５に従った方法を提供する。
【０００７】
モータ及び電源手段の遮蔽に関する並びに駆動構造及び髭剃りヘッドの支持及び相互位置付けに関する要件はハウジングによって満足されるので、シェル構造の外観及び感触特性をこれらの要件に関係なく設計し得る。シェル構造が満足しなければならない主要な構造要件は、それが基本ハウジングに取り付け可能である必要があることなので、電気髭剃り機の新しい外部設計を迅速に生成し得る。機能的及び安全要件を満足するために完全に開発され且つ試験される、基本ハウジング並びにそれに取り付けられる駆動構造及び髭剃りヘッドによって形成される基本的プラットフォームは、不変に維持され得る。設計変更されたシェル構造を製造するために、新しい工具が設けられる必要があるだけである。他の利点は、髭剃り機の外部設計が製造の比較的遅い段階に決定されるので、製造が異なる髭剃り機モデルの要求により迅速に応答し得ることである。製造中、ハウジング内に含まれる基本本体に取り付けられるべきシェル構造の選択を、遅い段階に決定し得る。
【０００８】
本発明の具体的な実施態様が従属請求項に示されている。概略的な図面に示される実施例を参照して、本発明のさらなる特徴、効果、及び、詳細を以下に記載する。
【発明を実施するための最良の形態】
【０００９】
図１乃至４に示される本発明に従った装置の実施例を第一に参照する。
【００１０】
装置は、ハウジング１と、ハウジング内のモータ２を含む駆動機構とを含む。駆動機構はハウジング１によって支持されており、駆動機構を髭剃りヘッド５のカッター４に結合する駆動機構の駆動スタブ３が、図面中に示されている。髭剃りヘッド５はヘッドホルダ８内に吊設され、ヘッドホルダはこの実施例によれば髭剃りヘッドホルダ支持体７によって支持されている。
【００１１】
髭剃りヘッド５は、髭剃り中に皮膚に接触するための髭剃り面９をそれぞれ有し、カッター４は、髭剃り面９を定めるスクリーン内の毛捕捉孔（図示せず）を通じて突出する毛を切り落とすために、それぞれ髭剃り面９の背後で移動可能である。
【００１２】
駆動機構は、カッターの動作を推進するために、カッター４に結合されている。この実施例によれば、モータ２は、充電式バッテリ１０によって電力供給され、プラグソケット３７に接続された回路１１によって制御される。バッテリ１０及び回路によって形成される電源は、ハウジング１内部に配置されている。
【００１３】
ハウジング内の電源手段はバッテリ及び回路を含むように示されているが、ハウジング内部の電源手段は、例えば、もし髭剃り機がバッテリを含まず、且つ、電力制御回路が、幹線に接続され且つ恒久的に接続された電源コードを介してモータに接続されるべき接触プラグ内に配置されているならば、例えば、モータに接続された電気導体だけで構成されてもよいことが分かる。
【００１４】
シェル構造１２が、髭剃りヘッド５の後方でハウジング１の一部を囲んでいる。図４中に最良に見られるように、シェル構造は、前面１３、後壁１４、側方パネル１５，１６、及び、トリマカバー１７を含む複数のシェル部分から成る。
【００１５】
モータ２及び電源１０を遮蔽し且つ駆動機構及び髭剃りヘッドのための支持構造を提供する機能的要件はハウジング１によって満足されるため、シェル構造１２を広範な設計及び仕上げで提供可能であり、製造中、例えば、具体的な設計又は髭剃り機の上での具体的な表示の要求に応じて、外部設計を製造の遅い段階に決定し得る。また、装置の新しい外部設計を迅速に生成し得る。何故ならば、唯一の構造要件は、シェルがハウジング１に取り付け可能である必要があることであるのに対し、機能的及び安全要件を満足するよう完全に開発され且つ試験される、ハウジング１並びにそこに取り付けられる駆動構造及び髭剃りヘッド５の機能的プラットフォームを、不変に維持し得るからである。
【００１６】
シェル構造１２はハウジングを完全に囲まず、例えば、髭剃りヘッドホルダ支持体７が取り付けられるべき面及びプラグソケット３７の開口は覆われない。例えば、制御部材、バッテリ区画、及び／又は、貯蔵及び／又は洗浄ホルダを係合するための部材へのアクセスを許容するよう、或いは、ハウジングの表面部分を選択的に露出されたままにするよう、ハウジングの他の部分もシェル構造によって覆われないままにし得る。しかしながら、シェルが髭剃り機の外部設計及び触覚特性を実質的に決定するよう、囲むシェルは、ハウジングの反対側で、ハウジングの表面の少なくとも大部分を覆うことが理解される。
【００１７】
本実施例において、シェル構造１２は、髭剃りヘッドホルダ支持体７が髭剃りヘッド５の取り付けられる髭剃りヘッドホルダ８を支持する面から、髭剃りヘッドホルダ支持体７が取り付けられる面と反対側のハウジング１の端部にある電力プラグソケット３７まで延びている。よって、ハウジングの遮蔽は、ハウジング１の両極端間の実質的に全距離に亘って延びているので、基本ハウジング１の設計に対する変更を要求することなしに、ハウジングは効果的に保護され、且つ、装置の人間工学設計及び審美的な外観に関する設計の大きな自由が可能である。
【００１８】
シェル構造１２は、髭剃りヘッドホルダ支持体７が取り付けられる面と電力プラグソケット３７との間でハウジングを完全に囲むので、ハウジングの保護、及び、同一の基本ハウジング１に基づく異なる装置の設計の個性がさらに強化される。
【００１９】
本実施例によれば、ハウジング１は耐水性を有し、その目的のために、ハウジング部分１８，１９はそれらの間の封止２０と共に相互に取り付けられている。髭剃り機の外部形状はシェル構造１２によって決定されるので、それを確実に耐水に維持するために必要とされる、そのシームに沿うハウジングの剛性は、外部設計及び触覚特性に関する要求によって妥協されない。例えば、シェル構造が取り付けられた後の髭剃り機の外観を邪魔することなしに、ハウジング１の外部強化、及び、内部リブに起因するハウジング１の外面の凹みを許容し得る。さらに、シーム及び封止２０はシェル１２の背後に隠されているので、装置の可視的な外観を邪魔することなしに、異なり且つ変動する幅でさえある広いシーム及び比較的大きなシームを設け得る。
【００２０】
図１乃至３に最良に見られるように、シェル構造１２は、ハウジング１から離間したシェル部分を含み、ハウジング１とシェル部分との間に空間２１が残される。シェル１２の大きな変形が許容可能であり、相応して、衝撃エネルギーの大きな量を比較的円滑に吸収し得るよう、空間は、ハウジング１を打つことなしに、ハウジング１から離間したシェル部分の変形を許容する。よって、シェル１２は、ハウジング１を直接的な衝撃から遮蔽することにも寄与し得る。この目的のために、もしシェルが比較的柔軟なプラスチックのような衝撃吸収性材料から成るならば有利である。
【００２１】
ハウジングとシェル１２の部分との間の空間２１の存在の他の利点は、特に、ハウジング１とシェル１２との間の空間２１を排水するために、１つ又はそれ以上の排水通路２２が設けられるならば、ハウジング１とシェル１２との間から水を容易に排水し得ることである。
【００２２】
ハウジング１の周りにシェル１２を設けることは、駆動構造及び髭剃りヘッド５を剛的に支持する必要のあるハウジング１、及び、衝撃に耐え得る必要があり且つ手触りが良くあるべきシェル１２の材料が、それらのそれぞれの機能に従って具体的に選択されることを可能にする。例えば、シェル１２の少なくとも一部は、より耐衝撃性を有する材料及び／又はハウジング１よりも軟らかい材料であり得る。シェル構造は、例えば、金属、ゴム、木、革、又は、織物、或いは、透明、不透明、及び／又は、フォーム材料から成り得る。シェル構造１２の表面組織及び表面仕上げも、ハウジング１によって充足されるべき機械的要件に拘わらず選択し得る。ハウジングを囲むシェル構造の使用は、塗膜に対する損傷を妨げ且つ特別な可視的効果を得るために、内面上に塗布される透明又は不透明な成分の使用も可能にする。
【００２３】
シェル１２がハウジング１から取り外し可能であるよう、シェル１２は、ボルト２３及びスナップ接続の組み合わせによってハウジング１に取り付けられる。これは、如何なる損傷した或いは摩耗したシェル部分をも置換するのを容易にする。シェル１２の取り外しはハウジング内部へのアクセスを使用者にもたらさないので、シェル部分の置換は、熟練していない消費者によるドゥー・イット・ユアセルフ操作として安全に遂行され得るし、例えば、バスルーム設計に適合するよう、使用者が装置の外観を変更することも可能にする。
【００２４】
図５及び６は、ハウジング５１がオン／オフボタンの形態の第一動作部材７４を含む本発明に従った髭剃り装置の実施例の例証である。シェル６２は、ゴム製押しボタン膜７９の形態の第二動作部材を支持するパネル７８を含み、もしゴム製押しボタン７９が押し込まれるならば、オン／オフボタンを機械的に動作するために、その突起８０が第一動作部材７４に動作的に接続されている。よって、シェル１２の接続された動作部材を作動することによって、ハウジング５１上の接続部材を動作し得る。
【００２５】
ハウジング５１は、さらに、異なって着色されたＬＥＤ７５，７６，７７の形態の３つの光信号伝達部材を含む。シェル６２は、光導波管の形態の２つの窓８１，８２を含み、ＬＥＤの２つによって生成される光信号は光導波管を通じて可視的である。例えば、中央のＬＥＤ７８が図示のモデルにおいて動作可能でないように髭剃り機の制御システムを配置し得る。使用者は、動作的なＬＥＤの前で導波管８１，８２に直面するだけであり、ハウジング５１内のＬＥＤの数よりも小さな数の動作するＬＥＤ又はＬＥＤ位置を含むモデルのために同一のハウジング５１が用いられるとしても、中央ＬＥＤが不良である考えるに至らない。
【００２６】
図７及び８は、本発明に従った髭剃り装置のさらに他の実施例を示しており、この実施例では、シェル１１２上の動作部材１３３は、ハウジング１０１内の動作部材に（機械的ではなく）電気的に接続されている。このために、シェル１１２上の動作部材１３３は、スイッチによって形成されている。シェルはディスプレイ１３８も備える。この実施例によれば、ディスプレイはＬＣＤディスプレイである。シェル構造１１２内に統合されたディスプレイ１３８の位置は、ディスプレイが広範囲の角度から完全に可視的であるという利点をもたらす。電気ケーブル１３４が、スイッチ１３３及びディスプレイ１３８に接続されている。電気ケーブルは、ハウジング１０１内のプラグソケット１３６に接続されたプラグ１３５を備えている。
【００２７】
図９には、電力プラグソケット１８７と髭剃りヘッドホルダ支持体との間のハウジング１５１の部分もシェル構造１６２によって覆われないままにされた、本発明に従った装置の実施例が示されている。シェル構造はシェル部材１６３，１６４を含み、シェル部材１６３，１６４がハウジング１５１に取り付けられるときに、それらの間にスリットが残される。スリットを通じて、基本ハウジング１５１な可視的である。さらなるシェル部材１６７が、髭剃りヘッドホルダ支持体に隣接する基本ハウジングの部分を取り囲んでいる。
【００２８】
本発明を実施例に従って記載したが、添付の請求項に定められるような本発明の範囲から逸脱することなしに、それに対する多くの変更が当業者に明らかになろう。
【図面の簡単な説明】
【００２９】
【図１】本発明に従った髭剃り装置の第一実施例を示す正面図であり、シェルが透明なハウジング部分として示されている。
【図２】図１に従った髭剃り機を示す側面図である。
【図３】図２中の線ＩＩＩ−ＩＩＩに沿って取られた断面図である。
【図４】図１乃至３に従った髭剃り機を示す展開図である。
【図５】本発明に従った髭剃り装置の第二実施例を示す切欠き側面図である。
【図６】図５に従った髭剃り装置のハウジング及び駆動機構の一部を示す正面図である。
【図７】本発明に従った髭剃り装置の第三実施例を示す切欠き側面図である。
【図８】図７に従った髭剃り装置のハウジング及び駆動機構の一部を示す正面図である。
【図９】本発明に従った髭剃り装置の第四実施例を示す側面図である。
【図１】
2007514469.tif 000003
【図２】
2007514469.tif 000004
【図３】
2007514469.tif 000005
【図４】
2007514469.tif 000006
【図５】
2007514469.tif 000007
【図６】
2007514469.tif 000008
【図７】
2007514469.tif 000009
【図８】
2007514469.tif 000010
【図９】
2007514469.tif 000011
【国際調査報告】
2007514469.tif 000012
2007514469.tif 000013